(57)【特許請求の範囲】
【請求項１】
天井面に配設されたレールに吊支され、該レールに沿って移動する複数の間仕切パネルを分離可能に連結して室内空間を仕切る移動間仕切装置であって、
前記間仕切パネルは、
間隔をおいて対向配置される一対のパネル板と、
前記一対のパネル板の左右側端縁部のそれぞれを連結する一対の左右縦枠、および前記一対のパネル板の上下端縁部のそれぞれを連結する一対の上下横枠で構成される枠体と、
を具え、前記一対のパネル板および前記枠体の連結によって、閉鎖された内部空間が区画形成され、
前記一対のパネル板のうちの少なくとも一方のパネル板が、透光性パネル板であり、
前記間仕切パネルは、解体することなく、前記枠体に、前記内部空間に存在するごみや埃等の異物を、前記透光性パネル板から見えない位置に移動可能にする特定部分を形成してなり、
前記特定部分は、前記一対の左右縦枠のうちの少なくとも一方の縦枠の、前記下横枠側の部分に形成され、前記内部空間を前記間仕切パネルの外部空間に連通可能にする方向に貫通させた閉鎖可能な第１開口部であることを特徴とする移動間仕切装置。
【請求項２】
天井面に配設されたレールに吊支され、該レールに沿って移動する複数の間仕切パネルを分離可能に連結して室内空間を仕切る移動間仕切装置であって、
前記間仕切パネルは、
間隔をおいて対向配置される一対のパネル板と、
前記一対のパネル板の左右側端縁部のそれぞれを連結する一対の左右縦枠、および前記一対のパネル板の上下端縁部のそれぞれを連結する一対の上下横枠で構成される枠体と、
を具え、前記一対のパネル板および前記枠体の連結によって、閉鎖された内部空間が区画形成され、
前記一対のパネル板のうちの少なくとも一方のパネル板が、透光性パネル板であり、
前記間仕切パネルは、解体することなく、前記枠体に、前記内部空間に存在するごみや埃等の異物を、前記透光性パネル板から見えない位置に移動可能にする特定部分を形成してなり、
前記特定部分は、
前記一対の左右縦枠のうちの少なくとも一方の縦枠の、前記下横枠側の部分に形成され、前記内部空間を前記間仕切パネルの外部空間に連通可能にする方向に貫通させた閉鎖可能な第１開口部、および
前記内部空間を区画する前記下横枠の上面部に形成された第２開口部であることを特徴とする移動間仕切装置。
【発明の詳細な説明】
【技術分野】
【０００１】
本発明は、天井面に配設されたレールに吊支され、レールに沿って移動する複数の間仕切パネルを分離可能に連結することにより室内空間を仕切る移動間仕切装置に関する。
【背景技術】
【０００２】
移動間仕切装置は、オフィスや会議室、ホテルの催事会場等を、天井と床とに亘る上下寸法を有する複数枚の間仕切パネルの端縁部同士を連結することで、天井面に配設されたレール位置に応じて、幾つかの所定サイズの区画スペース（部屋）に仕切るために用いられる。従来の移動間仕切装置を構成する間仕切パネルとしては、例えば本出願人が提案した特許文献１に記載されているように、仕切られた両室間の内部を、間仕切パネルを通して互いに透視することができる、前後に間隔をおいて対向配置された一対の透光性のパネル板を有し、天井の下面に固着したレールに沿って移動するランナに、吊りボルトをもって吊支され、下端が床の床面に近接した状態で移動できるように構成するのが一般的である。
【０００３】
このような間仕切パネルは、通常、工場においてパネル板を作業台の上に寝かせた状態で、パネル板の各辺に縦杆（縦枠）、横杆（横枠）を取り付けることで組み立てられる。遮音特性を向上させる等の観点から、フレームの前後両側のそれぞれに、間隔をおいた対向配置状態で一対のパネル板が取り付けられ、フレームおよび一対のパネル板によって区画された内部空間が形成される。
【０００４】
ところで、組立て作業時に間仕切パネルを構成する部材には、組立て場所において浮遊している塵埃物質等の微小な異物が付着することがある。この付着した異物は、間仕切パネルの組立前に完全に除去することは難しく、間仕切パネルを起立させて設置場所に設置した後、時間の経過とともに、または複数枚の間仕切パネルの連結時の接触による衝撃により落下して、上記の内部空間において、特に間仕切パネルの下横枠の上面部に堆積しやすい。堆積した異物は、間仕切パネルの外部から視認できる位置に存在するため、使用時に、間仕切パネル、ひいては移動間仕切装置全体の美観を損なう場合があった。間仕切パネルの内部空間に堆積した異物を除去するための従来の手段としては、間仕切パネルを設置場所から取り外して解体した上で除去するしかなく、このような除去作業は、作業効率が悪いため、特に大型の間仕切パネルの場合に行なうことは現実的ではない。
【先行技術文献】
【特許文献】
【０００５】
【特許文献１】特許第４９８１５８２号公報
【発明の概要】
【発明が解決しようとする課題】
【０００６】
本発明の目的は、間仕切パネルの適正化を図ることで、解体せずに、間仕切パネルの内部空間に存在するごみや埃等の異物を、透光性パネル板から見えない位置に簡便に移動させることができる移動間仕切装置を提供することにある。
【課題を解決するための手段】
【０００７】
上記目的を達成するため、本発明の要旨構成は以下の通りである。
【０００８】
（１）天井面に配設されたレールに吊支され、該レールに沿って移動する複数の間仕切パネルを分離可能に連結して室内空間を仕切る移動間仕切装置であって、前記間仕切パネルは、間隔をおいて対向配置される一対のパネル板と、前記一対のパネル板の左右側端縁部のそれぞれを連結する一対の左右縦枠、および前記一対のパネル板の上下端縁部のそれぞれを連結する一対の上下横枠で構成される枠体とを具え、前記一対のパネル板および前記枠体の連結によって、閉鎖された内部空間が区画形成され、前記一対のパネル板のうちの少なくとも一方のパネル板が、透光性パネル板であり、前記間仕切パネルは、解体することなく、前記枠体に、前記内部空間に存在するごみや埃等の異物を、前記透光性パネル板から見えない位置に移動可能にする特定部分を形成してなることを特徴とする移動間仕切装置。
【０００９】
（２）前記特定部分は、前記一対の左右縦枠のうちの少なくとも一方の縦枠の、前記下横枠側の部分に形成され、前記内部空間を前記間仕切パネルの外部空間に連通可能にする方向に貫通させた閉鎖可能な第１開口部であることを特徴とする、上記（１）に記載の移動間仕切装置。
【００１０】
（３）前記特定部分は、前記内部空間を区画する前記下横枠の上面部に形成された第２開口部であることを特徴とする、上記（１）に記載の移動間仕切装置。
【００１１】
（４）前記特定部分は、前記一対の左右縦枠のうちの少なくとも一方の縦枠の、前記下横枠側の部分に形成され、前記内部空間を前記間仕切パネルの外部空間に連通可能にする方向に貫通させた閉鎖可能な第１開口部、および前記内部空間を区画する前記下横枠の上面部に形成された第２開口部であることを特徴とする、上記（１）に記載の移動間仕切装置。
【００１２】
（５）前記第２開口部は、複数の孔で構成されることを特徴とする、上記（３）または（４）に記載の移動間仕切装置。
【発明の効果】
【００１３】
本発明によれば、天井面に配設されたレールに吊支され、該レールに沿って移動する複数の間仕切パネルを分離可能に連結して室内空間を仕切る移動間仕切装置であって、前記間仕切パネルは、間隔をおいて対向配置される一対のパネル板と、前記一対のパネル板の左右側端縁部のそれぞれを連結する一対の左右縦枠、および前記一対のパネル板の上下端縁部のそれぞれを連結する一対の上下横枠で構成される枠体とを具え、前記一対のパネル板および前記枠体の連結によって、閉鎖された内部空間が区画形成され、前記一対のパネル板のうちの少なくとも一方のパネル板が、透光性パネル板であり、前記間仕切パネルは、解体することなく、前記枠体に、前記内部空間に存在するごみや埃等の異物を、前記透光性パネル板から見えない位置に移動可能にする特定部分を形成してなることにより、間仕切パネルの内部空間の下側に異物が堆積した場合であっても、間仕切パネルを取り外して解体することなく、内部空間から異物を容易に除去することができ、もって移動間仕切装置の美観を向上させることができる。
【図面の簡単な説明】
【００１４】
【図１】図１は、本発明に従う代表的な移動間仕切装置の概略図である。
【図２】図２は、本発明の移動間仕切装置を構成する間仕切パネルの概略的な分解斜視図である。
【図３】図３は、本発明の移動間仕切装置の一実施形態を示すものであって、図１に示す四角形の破線で囲んだ領域を拡大して示した部分拡大斜視図である。
【図４】図４（ａ）、（ｂ）は、図３に示した間仕切パネルの枠体の縦枠を、第１開口部位置で切断したときの横断面図であって、図４（ａ）は、第１開口部が閉鎖部材によって閉鎖される前の状態を閉鎖部材とともに示し、また、図４（ｂ）は、第１開口部が閉鎖部材によって閉鎖された後に、隣接する間仕切パネル同士が連結されている状態で示す。
【図５】図５（ａ）、（ｂ）は、間仕切パネルの縦枠の下側部分を外側から拡大して眺めたときの斜視図であって、図５（ａ）は、第１開口部が閉鎖部材によって閉鎖される直前の状態を示し、また、図５（ｂ）は、第１開口部が閉鎖部材によって閉鎖された状態を示す斜視図である。
【図６】図６は、本発明の移動間仕切装置の別の実施形態を示したものであって、図３と同様な領域を拡大して示した部分拡大斜視図である。
【図７】図７は、本発明の移動間仕切装置のさらに別の実施形態を示すものであって、図３と同様な領域を拡大して示した部分拡大斜視図である。
【発明を実施するための形態】
【００１５】
次に、本発明に従う移動間仕切装置の実施形態について、図面を参照しながら以下で説明する。
【００１６】
図１は、本発明の移動間仕切装置１０の要部を示したものであって、具体的には、３枚の間仕切パネル１２、１２、１２が示されていて、それらのうち、２枚の間仕切パネル１２、１２が連結された状態、残り１枚の間仕切パネル１２が連結される前の状態として示されている。また、図２は、間仕切パネル１２を、パネル板１４および枠体１６のそれぞれに分解して斜視的に示すものであり、図３は、本発明の移動間仕切装置の一実施形態を示すものであり、特に図１に示した四角形の破線で囲んだ領域Ｌを拡大して斜視的に示すものであり、図４（ａ）、（ｂ）は、図３に示した間仕切パネル１２の枠体１６を開口部３８の位置で断面して示すものであり、図４（ａ）が、開口部３８が閉鎖部材４０によって閉鎖される前の１枚の間仕切パネル１２を示すものであり、図４（ｂ）が、開口部３８が閉鎖部材４０によって閉鎖され、連結された状態の間仕切パネル１２、１２を示すものであり、図５（ａ）、（ｂ）は、間仕切パネル１２を外側から斜視的に示すものであり、図５（ａ）が、開口部３８が閉鎖部材４０によって閉鎖される直前の間仕切パネル１２を示すものであり、図５（ｂ）が、開口部３８が閉鎖部材４０によって閉鎖された後の間仕切パネル１２を示すものである。
【００１７】
移動間仕切装置１０は、オフィスや大会場、会議室等の室内空間を、天井Ｃと床面Ｆとに亘る上下寸法を有する複数枚の間仕切パネルの端縁部同士を連結することで、天井面Ｃに配設されたレール位置に応じて、幾つかの所定サイズの区画スペース（部屋）に仕切るために用いられる。図１に示すように、移動間仕切装置１０は、室内空間の天井面Ｃに配設されたレールＲに吊支され、レールＲに沿って移動する複数の間仕切パネル１２を分離可能に連結して室内空間を仕切ることができる。なお、説明の便宜上、図１に示されている移動間仕切装置１０の、延在方向（仕切り方向）Ｘを左右方向、高さ方向Ｙを上下方向、そして、厚さ（仕切り幅）方向Ｚを前後方向と定義する。
【００１８】
間仕切パネル１２は、間隔をおいて対向配置される一対（２枚）のパネル板１４、１４と、これら一対のパネル板１４、１４の端縁部同士を連結するとともに保持する枠体１６とを具えている。
【００１９】
一対のパネル板１４、１４のうちの少なくとも一方のパネル板が、透光性材料からなる透光性パネル板である。ここで「透光性パネル板」とは、例えばガラス板のような常時、室内空間を透視可能なパネル板であってもよく、また、透視可能状態と透視不可能状態とを切換可能とした、光の透過率が可変なパネル板であってもよい。一対のパネル板１４、１４はそれぞれ同じ形状である。図示の間仕切パネル１２においては、両パネル板１４、１４が、常時、室内空間を透視可能なパネル板になっているが、少なくとも一方のパネル板１４が、上記の「透光性パネル板」であればよく、他方のパネル板１４は、透視不可能な、例えばアルミニウムやスチール等の金属や木材および合成樹脂等から形成されているパネル板であってもよい。
【００２０】
図２に示すように、枠体１６は、一対のパネル板１４、１４の左右側端縁部のそれぞれに取り付けられて、左右側端縁部のそれぞれを連結する一対の左右縦枠１８、１９と、一対のパネル板１４、１４の上下端縁部のそれぞれに取り付けられて、上下端縁部をそれぞれ連結する一対の上下横枠２０、２１とを連結することで形成することができる。つまり、枠体１６は、２枚のパネル板１４、１４の左側端縁部同士を連結する左縦枠１８および右側端縁部同士を連結する右縦枠１９と、２枚のパネル板１４、１４の上端縁部同士を連結する上横枠２０および下端縁部同士を連結する下横枠２１とを具える。左右縦枠１８、１９は、その上端部において上横枠２０により連結されていて、また、下端部において下横枠２１により連結されている。左右縦枠１８、１９および上下横枠２０、２１は、所定の接続具（図示せず）を介して連結される。なお、枠体１６の材質は、特に限定しないが、アルミニウム合金、スチール等の金属材料、木材や合成樹脂等であってもよい。
【００２１】
右縦枠１９は、図２において、一対のパネル板１４、１４の各右端縁部にそれぞれ取り付けられる一対の枠部材２２、２２と、これら一対の枠部材２２、２２を互いに連結する、断面が内向きＵ字状をなす連結部材２４と、隣接する間仕切パネル１２の側端部が嵌め込まれて連結されるような外面形状を有する、断面が外向きＵ字状をなす凹状部材２６とを具えている。また、左縦枠１８は、凹状部材２６の代わりに凸状部材２７を具えている以外は、右縦枠１９と同様の構成を有している。
【００２２】
枠部材２２は、緩衝材であるガスケット３０（図４参照）を介して各パネル板１４の長手方向に延在する端縁に取り付けられる。各枠部材２２、２２は、連結部材２４にねじ締結されることで互いに連結される。この連結により、一対のパネル板１４、１４は互いに離間した状態において枠体１６の前後両側に保持されるようになる（図４参照）。
【００２３】
凹状部材２６はそれぞれ、図４（ａ）、（ｂ）に示すように、パネル板１４、１４の前後一対の枠部材２２、２２の間において、間仕切パネル１２の左右方向外側を向く各枠部材２２の面に取り付けられている。凹状部材２６が、図４（ｂ）に示すように、隣接する他の間仕切パネル１２の左側に取り付けられている凸状部材２７に係合すると、隣接する間仕切パネル１２、１２同士は互いに連結される。換言すると、凸状部材２７は、隣接する他の間仕切パネル１２の右側に取り付けられている凹状部材２６に係合して、隣接する間仕切パネル１２、１２同士を互いに連結する。
【００２４】
図２に示すように、上横枠２０は、パネル板１４の短手方向の端縁に取り付けられる枠部材３２と、断面が外向きＵ字状をなす空間形成部材３４と、間仕切パネル１２の上端と天井Ｃとの間の間隙を塞ぐ閉塞部材３６とを具える。また、下横枠２１は、パネル板１４の短手方向の端縁に取り付けられる枠部材３２と、断面が外向きＵ字状をなす空間形成部材３５と、間仕切パネル１２の下端と床面Ｆとの間の間隙を塞ぐ閉塞部材３７とを具えている。
【００２５】
各空間形成部材３４、３５は、その内部に閉塞部材３６、３７をそれぞれ収容している。閉塞部材３６は、空間形成部材３４から天井面Ｃに向けてせり出し可能であり、閉塞部材３７は、空間形成部材３５から床面Ｆに向けてせり出し可能である。各空間形成部材３４、３５は、一対のパネル板１４、１４の間に介挿されて、間仕切パネル１２の上側の空間形成部材３４は上方に向けて開口し、下側の空間形成部材３５は下方に向けて開口している。上側の空間形成部材３４には、レールＲ上を走行するローラ（図示せず）を一方端に有する吊支部材３３（図１参照）の他方端が固定されており、間仕切パネル１２がレールＲに対して吊支されるようになっている。
【００２６】
一対のパネル板１４、１４と枠体１６の連結によって、閉鎖された内部空間１５が区画形成される。具体的には、間仕切パネル１２の内部空間１５は、間仕切パネル１２の前後両側に取り付けられる各パネル板１４と、周縁を取り囲む左右縦枠１８、１９および上下横枠２０、２１とによって区画形成される。より具体的には、内部空間１５は、左右縦枠１８、１９の枠部材２２、２２、上横枠２０の空間形成部材３４の高さ方向Ｙにおいて下方を向く下面部、及び下横枠２１の空間形成部材３５の高さ方向Ｙにおいて上方を向く上面部によって区画形成される。
【００２７】
そして、本発明の構成上の主な特徴は、枠体１６の構造の適正化を図ることにあり、より具体的には、天井面Ｃに配設されたレールＲに吊支され、レールＲに沿って移動する複数の間仕切パネル１２、１２、・・を分離可能に連結して室内空間を仕切る移動間仕切装置１０であって、間仕切パネル１２は、間隔をおいて対向配置される一対のパネル板１４、１４と、一対のパネル板１４、１４の左右側端縁部のそれぞれを連結する一対の左右縦枠１８、１９、及び前記一対のパネル板１４、１４の上下端縁部のそれぞれを連結する一対の上下横枠２０、２１で構成される枠体１６とを具え、一対のパネル板１４、１４および枠体１６の連結によって、閉鎖された内部空間１５が区画形成され、一対のパネル板１４、１４のうちの少なくとも一方のパネル板１４が、透光性パネル板１４であり、間仕切パネル１２が、解体することなく、枠体１６に、内部空間１５に存在するごみや埃等の異物を、透光性パネル板１４から見えない位置に移動可能にする特定部分を形成してなることにあり、この構成を採用することによって、間仕切パネル１２の内部空間１５における異物を、一度組み立てた間仕切パネル１２を取り外して各構成部材に解体することなく、透光性パネル板１４から見えない位置に除去することができるので、間仕切パネル１２の異物除去に関する作業負担を軽減することができるとともに、間仕切パネル１２の美観、ひいては移動間仕切装置１０全体の美観を向上させることができる。
【００２８】
間仕切パネル１２の内部空間１５における異物の除去を可能にする枠体１６の具体的な一実施形態としては、図３に示すように、上記の特定部分が、一対の左右縦枠１８、１９のうちの少なくとも一方の縦枠１９の、下横枠２１側の部分に形成され、内部空間１５を間仕切パネル１２の外部空間に連通可能にする方向に貫通させた閉鎖可能な第１開口部３８であることが好ましい。より具体的には、図４（ａ）に示すように、第１開口部３８は、内部空間１５と間仕切パネル１２の外部空間とが連通するように、右縦枠１９の、内部空間１５を臨む、一対の枠部材２２、２２により形成される面２３、連結部材２４および凹状部材２６をそれぞれ貫通している開口からなる。各枠部材２２の同じ位置には、凹部３９が形成されている。枠部材２２、２２において第１開口部３８は、各枠部材２２の凹部３９が接続して第１開口部３８を形成するように、２つの枠部材２２、２２を互いに連結することにより形成されている。
【００２９】
間仕切パネル１２の設置、つまり間仕切パネル１２を室内空間の高さ方向Ｙに立設すると、間仕切パネル１２の組立て時に間仕切パネル１２の各部材に付着した異物、または完全に除去しきれなかった異物が落下して、間仕切パネル１２の下方、特に内部空間１５を区画する下横枠２１の上面部、図２では空間形成部材３５の上面部３５ａに堆積することがある。図３に示す実施形態のように、１つの第１開口部３８を右縦枠１９の一対の枠部材２２、２２の、下横枠２１の近くに位置するように形成することにより、下側の空間形成部材３５の上面部３５ａに堆積した異物を簡単に除去することができるようになる。なお、異物の落下は、時間の経過とともに自然に落下する場合や、または間仕切パネル１２、１２同士の連結時の衝撃により落下することが想定される。
【００３０】
図４に示すように、移動間仕切装置１０が、第１開口部３８を閉鎖可能な閉鎖部材４０を有していることが好ましい。異物除去の作業時に閉鎖部材４０は、図４（ａ）に示すように、第１開口部３８から取り外しておくことができ、通常使用時（連結時）には、図４（ｂ）に示すように、第１開口部３８を閉鎖することができる。閉鎖部材４０によって第１開口部３８を閉鎖することにより、間仕切パネル１２の外部空間から内部空間１５への異物の侵入を防止するとともに、遮音特性を向上させ、加えて外観（見栄え）も向上させることができる。
【００３１】
閉鎖部材４０は、図５（ａ）に示すように、第１開口部３８を閉鎖する閉鎖部４２と、凹状部材２６との連結のための鍔部４４とを有してなる。閉鎖部４２は、第１開口部３８の形状に対応した形状を有している。閉鎖部材４０を用いて第１開口部３８を閉鎖した場合、閉鎖部４２の内部空間１５に面する先端表面４３は、図４（ｂ）に示すように、枠部材２２の、内部空間１５を臨む面２３と面一をなして内部空間１５を画成することが好ましく、また、この先端表面４３を、内部空間１５を区画形成する他の部分と同じ色彩に統一することが好ましく、このようにすることで、間仕切パネル１２の美観を損ねることはない。
【００３２】
図５（ａ）に示すように、鍔部４４には、２つの貫通孔４６、４６が形成されている。これらの貫通孔４６、４６には、例えばねじのような締結具４８、４８が挿入される。凹状部材２６にも、鍔部４４の貫通孔４６、４６に対応する、ねじ切りされた２つのねじ孔５０、５０が形成されている。図５（ｂ）に示すように、閉鎖部材４０によって第１開口部３８、より具体的には２つの枠部材２２、２２により形成された開口、連結部材２４および凹状部材２６における開口を閉鎖する場合、閉鎖部材４０は、締結具４８によって凹状部材２６に締結される。
【００３３】
なお、図３においては、第１開口部３８の説明の便宜上、第１開口部３８が閉鎖部材４０によって閉鎖されていない状態で示しているが、第１開口部３８は閉鎖部材４０によって閉鎖されることが好ましい。
【００３４】
図３〜図５に記載した実施形態における異物除去は、間仕切パネル１２が隣接する間仕切パネル１２と連結されていない状態において行われる。例えば図５（ａ）に示すように、連結されていない間仕切パネル１２において、第１開口部３８が閉鎖部材４０によって閉鎖されていない場合に、間仕切パネル１２の外側（外部空間）から、例えば吸引装置（図示せず）のノズルが、第１開口部３８を通じて内部空間１５にアクセス可能である。これにより、内部空間１５に吸引装置を挿入して、特に下側の空間形成部材３５の上面部３５ａに堆積している異物を直接吸引除去することができる。吸引後、第１開口部３８を閉鎖部材４０によって閉鎖すれば、異物が内部空間１５に侵入することを防ぐことができる。
【００３５】
上記の実施形態においては、右縦枠１９にのみ第１開口部３８が形成されているが、左縦枠１８にのみ、または左右縦枠１８、１９の両方に第１開口部３８が形成されていてもよく、その個数も複数あってよく、第１開口部３８の形状は、図示の実施形態においては矩形状であるが、円形、楕円形等の形状も可能であり、特に限定する必要はない。
【００３６】
次に図６を用いて、移動間仕切装置の別の実施形態を説明する。以下では、上記の実施形態と異なる点について説明し、共通する部分についての説明は省略する。図６は、移動間仕切装置の別の実施形態を示す図であり、下横枠２１Ａの一部を取り除いて斜視的に示すものである。
【００３７】
図６に示す実施形態においては、枠体１６が具える、異物を透光性パネル板１４から見えない位置に移動可能にする特定部分が、内部空間１５を区画する下横枠２１の上面部５２に形成された第２開口部５４であることが好ましい。これにより、上面部５２に堆積した異物は自然に透光性パネル板１４から見えない下横枠２１Ａ内に落下するので、内部空間１５からの異物除去の作業負担を軽減することができる。
【００３８】
この実施形態においては具体的に、図６に示すように、第２開口部５４が、複数の孔で構成されることが好ましい。下横枠２１Ａを構成する、断面が外向きＵ字状をなす空間形成部材３５Ａは、２つの相対する壁部５６、５６と、断面が略Ｃ字形の形材５８と、複数の孔５４、５４、・・を有する平坦な多孔板６０とを有する。各壁部５６の、内部空間１５側の端部は、間仕切パネル１２の厚さ方向Ｚにおいて内側に折り曲げられていて、略Ｃ字形の形材５８の内部空間１５側の端部も同様に、間仕切パネル１２の厚さ方向Ｚにおいて内側に折り曲げられている。壁部５６、５６同士は、壁部５６、５６の内面に、略Ｃ字形の形材５８をその開口を内部空間１５側に向けて、例えば溶接することで互いに連結されている。多孔板６０は、壁部５６、５６の折り曲げられた部分と、形材５８の折り曲げられた部分とによって画成された隙間に挿入されて収容されている。
【００３９】
多孔板６０に落下してきた異物は、孔５４、５４、・・を通って、形材５８と多孔板６０との間の空間５９に落下するので、パネル板１４から視認されることはない。異物が、孔５４、５４、・・の間において多孔板６０上に載った場合には、例えば隣接する間仕切パネル１２同士を連結する際の衝撃等の振動を利用して、孔５４、５４、・・を通して空間５９内に異物を落下させることができる。
【００４０】
次に図７を用いて、移動間仕切装置のさらに別の実施形態を説明する。以下では、上記の実施形態と異なる点について説明し、共通する部分についての説明は省略する。図７は、移動間仕切装置のさらに別の実施形態を示す図であり、下横枠２１Ｂの一部を取り除いて斜視的に示すものである。なお、下横枠２１Ｂについては、上記の下横枠２１Ａの構成と同じであるので説明を省略する。
【００４１】
図７に示す実施形態においては、枠体１６が具える、異物を透光性パネル板１４から見えない位置に移動可能にする特定部分が、一対の左右縦枠１８、１９のうちの少なくとも一方の縦枠１９の、下横枠２１側の部分に形成され、内部空間１５を間仕切パネル１４の外部空間に連通可能にする方向に貫通させた閉鎖可能な第１開口部３８Ｂ、および内部空間１５を区画する下横枠２１の上面部５２Ｂに形成された第２開口部５４Ｂであることが好ましい。この実施形態により、間仕切パネル１２の外側から、例えば吸引装置（図示せず）のノズルが、開口部３８Ｂを通じて内部空間１５および多孔板６０Ｂの下方の空間５９Ｂにアクセス可能になるので、複数の孔で構成される開口部５４Ｂ、５４Ｂ、・・から落下せずに多孔板６０Ｂ上に堆積したままの異物、および多孔板６０Ｂの孔５４Ｂ、５４Ｂ、・・から、透光性パネル板１４から見えない下横枠２１Ｂ内に落下した異物の双方を直接吸引除去することができる。これにより、異物をより簡単な異物除去作業によって確実に除去することができる。
【００４２】
右縦枠１９Ｂにおける第１開口部３８Ｂは、下横枠２１Ｂの上面部５２Ｂおよび多孔板６０Ｂの下方の空間５９Ｂに、間仕切パネル１２の外部空間からアクセス可能に形成されている。より具体的には、右縦枠１９Ｂの枠部材２２Ｂの開口は、多孔板６０Ｂに直に接続して終了しているが、図７においては示されていない連結部材２４および凹状部材２６における開口は、さらに多孔板６０Ｂの下方の空間を外部空間に連通するように構成されている。なお、図７に示す実施形態においても、第１開口部３８Ｂを閉鎖部材４０によって閉鎖することもできる。
【００４３】
本発明は、上記の実施形態に限られるものではなく、本発明の範囲において、種々の実施形態をとりうる。
【産業上の利用可能性】
【００４４】
本発明によれば、間仕切パネルの下側に異物が堆積した場合であっても、間仕切パネルを取り外して解体することなく、間仕切パネルの内部空間から異物を容易に除去することができ、もって移動間仕切装置の美観を向上させることができる。
【符号の説明】
【００４５】
１０  移動間仕切装置
１２  間仕切パネル
１４  パネル板
１５  内部空間
１６  枠体
１８  左縦枠
１９  右縦枠
２０  上横枠
２１  下横枠
３８  第１開口部
５２  上面部
５４  第２開口部、孔
Ｃ  天井面
Ｒ  レール
【図１】
0006552880.tif 000002
【図２】
0006552880.tif 000003
【図３】
0006552880.tif 000004
【図４】
0006552880.tif 000005
【図５】
0006552880.tif 000006
【図６】
0006552880.tif 000007
【図７】
0006552880.tif 000008